(57)【要約】【課題】鏡筒の光軸とコンバージョンレンズの光軸を高精度に安定して合致させることができ、小型化を図りつつ使い勝手に優れたレンズアダプタ装置を提供する。【解決手段】レンズアダプタ装置２０は、装着板２２と、腕部２４と、支持部２６と、第１の位置決め部２８と、第２の位置決め部３０とを備え、第２の位置決め部３０は、上下方向位置決め部３２と左右方向位置決め部３４とを含んで構成されている。第１の位置決め部２８は、支持部２６で支持されたコンバージョンレンズ５０の鏡筒１０に対する前後方向の位置決めを行うものである。第２の位置決め部３０は、支持部２６で支持されたコンバージョンレンズ５０の光軸と鏡筒１０の光軸とを合致させるものである。【選択図】図３
2007058032.tif 000002
【特許請求の範囲】
【請求項１】
鏡筒を有する撮像装置に着脱可能に装着され前記鏡筒の前方でコンバージョンレンズを支持するレンズアダプタ装置であって、
前記撮像装置の外装を構成するケースの底面に当接され前記底面の三脚取り付け用ねじ孔にねじで取着される装着板と、前記装着板から前記鏡筒の下方に沿って前方に延在する腕部と、前記腕部に設けられ前記コンバージョンレンズを着脱可能に支持する支持部と、前記支持部で支持されたコンバージョンレンズの前記鏡筒に対する前後方向の位置決めを行う第１の位置決め部と、前記支持部で支持されたコンバージョンレンズの光軸と前記鏡筒の光軸とを合致させる第２の位置決め部とを備え、
前記第２の位置決め部は、前記ケースの底面に当接される前記装着板の部分で構成され前記鏡筒の光軸に対して前記コンバージョンレンズの光軸の上下方向の位置決めを行う上下方向位置決め部と、前記腕部から突出され前記鏡筒の基部に係合される係合壁で構成され前記鏡筒の光軸に対して前記コンバージョンレンズの光軸の左右方向の位置決めを行う左右方向位置決め部とを含んで構成されている、
ことを特徴とするレンズアダプタ装置。
【請求項２】
前記第１の位置決め部は、前記装着板から起立され前記ケースの背面に当接される起立壁で構成されていることを特徴とする請求項１記載のレンズアダプタ装置。
【請求項３】
前記腕部の延在方向の一端に前記装着板が位置し、前記腕部の延在方向の他端に前記支持部が位置し、前記第１の位置決め部と前記上下方向位置決め部は前記装着板に設けられ、前記左右方向位置決め部は、前記腕部の延在方向の前記一端寄りに設けられていることを特徴とする請求項１記載のレンズアダプタ装置。
【請求項４】
前記係合壁は半円筒壁状に突設され、前記鏡筒の基部の周方向の半部に係合されるように設けられていることを特徴とする請求項１記載のレンズアダプタ装置。
【請求項５】
前記レンズアダプタ装置はアルミダイカスト製で、前記装着板と、前記腕部と、前記支持部と、前記第１の位置決め部と、前記第２の位置決め部とは一体に形成されていることを特徴とする請求項１記載のレンズアダプタ装置。
【請求項６】
前記コンバージョンレンズは、前記鏡筒の前端に臨む後端と、前記後端と反対側に位置し前記撮像装置の前方に臨む前端とを有し、前記コンバージョンレンズの前記後端が前記支持部で支持されることを特徴とする請求項１記載のレンズアダプタ装置。
【請求項７】
前記支持部は、前記腕部から突設され前記コンバージョンレンズの胴部が挿通される環状部と、前記環状部の内周面に設けられ前記コンバージョンレンズの胴部の係合部に係脱可能に結合される係合部とで構成されていることを特徴とする請求項１記載のレンズアダプタ装置。
【請求項８】
前記支持部は、前記腕部から突設され前記コンバージョンレンズの胴部が挿通される環状部と、前記環状部の内周面に設けられ前記コンバージョンレンズの胴部の係合部に係脱可能に結合される係合部とで構成され、前記コンバージョンレンズは、前記鏡筒の前端に臨む後端と、前記後端と反対側に位置し前記撮像装置の前方に臨む前端とを有し、前記コンバージョンレンズの前記後端が前記係合部を介して前記環状部で支持され、前記鏡筒の前端は前記環状部の内側に挿入されていることを特徴とする請求項１記載のレンズアダプタ装置。
【請求項９】
前記支持部と前記係合壁は前記腕部の上面から上方に突設され、前記腕部または前記装着板には、前記腕部の延在方向と交差する方向に延在し、前記支持部と前記係合壁を上方に向けて前記レンズアダプタ装置を載置した際に該レンズアダプタ装置の転倒を阻止する脚部が設けられていることを特徴とする請求項１記載のレンズアダプタ装置。
【発明の詳細な説明】
【技術分野】
【０００１】
本発明はレンズアダプタ装置に関する。
【背景技術】
【０００２】
デジタルスチルカメラなどの撮像装置において、その鏡筒の先端に設けられた雌ねじにコンバージョンレンズを取り付けることで、撮影レンズの倍率を広角側あるいは望遠側に変換するようにしたものがある。
しかしながら、コンバージョンレンズが軽量である場合には、上述の取り付け構造で対応できるが、コンバージョンレンズが重量大である場合には、鏡筒の剛性の点からコンバージョンレンズを取り付けることはできない。
特に、沈胴式の鏡筒では、鏡筒を沈胴させるための機構が鏡筒の内部に組み込まれているため、鏡筒に大きな力を掛けることができず、重量大なるコンバージョンレンズを用いることができない。
そこで従来では、このようなコンバージョンレンズを用いることができるように、撮像装置のケースに取着される装着部と、装着部に設けられ鏡筒を覆う筒状壁部とを有し、この筒状壁部に設けた開口にコンバージョンレンズを装着する雌ねじを設けたレンズアダプタ装置が提案されている（特許文献１参照）。
【特許文献１】特開２００４−２６４３６７号公報
【発明の開示】
【発明が解決しようとする課題】
【０００３】
しかしながら、このようなレンズアダプタ装置では、撮像装置が一眼レフタイプのように大型のもので、用いるコンバージョンレンズの重量が１ｋｇ程度と重量大である場合には、レンズアダプタ装置の強度を確保することが難しいため、鏡筒の光軸にコンバージョンレンズの光軸を安定して合致させる上で不利があった。
また、十分な強度を確保しようとすると、装着部や筒状壁部を撮像装置の外形や鏡筒の外形の大きさに合わせて形成しなくてはならないため、装着部や筒状壁部の外形が大きなものとなることから、レンズアダプタ装置が極めて大型化してしまい使い勝手を損ねることが懸念される。
本発明はこのような事情に鑑みなされたもので、その目的は、鏡筒の光軸とコンバージョンレンズの光軸を高精度に安定して合致させることができ、小型化を図りつつ使い勝手に優れたレンズアダプタ装置を提供することにある。
【課題を解決するための手段】
【０００４】
上述の目的を達成するため、本発明は、鏡筒を有する撮像装置に着脱可能に装着され前記鏡筒の前方でコンバージョンレンズを支持するレンズアダプタ装置であって、前記撮像装置の外装を構成するケースの底面に当接され前記底面の三脚取り付け用ねじ孔にねじで取着される装着板と、前記装着板から前記鏡筒の下方に沿って前方に延在する腕部と、前記腕部に設けられ前記コンバージョンレンズを着脱可能に支持する支持部と、前記支持部で支持されたコンバージョンレンズの前記鏡筒に対する前後方向の位置決めを行う第１の位置決め部と、前記支持部で支持されたコンバージョンレンズの光軸と前記鏡筒の光軸とを合致させる第２の位置決め部とを備え、前記第２の位置決め部は、前記ケースの底面に当接される前記装着板の部分で構成され前記鏡筒の光軸に対して前記コンバージョンレンズの光軸の上下方向の位置決めを行う上下方向位置決め部と、前記腕部から突出され前記鏡筒の基部に係合される係合壁で構成され前記鏡筒の光軸に対して前記コンバージョンレンズの光軸の左右方向の位置決めを行う左右方向位置決め部とを含んで構成されていることを特徴とする。
【発明の効果】
【０００５】
本発明によれば、撮像装置のケースの底面に装着板がねじで取着されてレンズアダプタ装置が撮像装置に装着され、腕部に設けられた支持部でコンバージョンレンズを支持するようにしたので、撮像装置の鏡筒にコンバージョンレンズの重量による負荷が掛かることがない。
また、腕部を介して第１の位置決め部と第２の位置決め部とにより鏡筒の光軸とコンバージョンレンズの光軸を高精度に安定して合致させることができる。
また、レンズアダプタ装置は、撮像装置のケースの底面に取着される装着板と、鏡筒の下方で前後に延在する腕部と、腕部に設けられた支持部および係合壁を有する構造であるため、レンズアダプタ装置の小型化を図る上で有利となり、また、レンズアダプタ装置が撮像装置に装着された際に、レンズアダプタ装置を含む撮像装置全体の小型化を図る上で有利となる。
【発明を実施するための最良の形態】
【０００６】
次に本発明の実施の形態について図面を参照して説明する。
図１は本実施の形態のレンズアダプタ装置２０が装着される撮像装置１００を前方から見た斜視図、図２は撮像装置１００を後方から見た斜視図である。
まず、レンズアダプタ装置２０が取り付けられる撮像装置１００から説明する。
図１、図２に示すように、撮像装置１００は一眼レフタイプのデジタルスチルカメラであり、外装を構成するケース１０２を有している。なお、本実施の形態では、撮像装置１００に対して被写体側を前方、その反対側を後方とし、左右は撮像装置１００の前方から見た状態でいうものとする。
ケース１０２の前面１０２Ａ右側部寄りの箇所には撮影光学系１０４を収容保持する鏡筒１０が設けられ、鏡筒１０の後部には、撮影光学系１０４で導かれた被写体像を撮像する不図示の撮像素子が設けられている。
鏡筒１０の基部１００２は、撮影光学系１０４の光軸を軸心とする円筒壁状を呈し前面１０２Ａに固定されている。
鏡筒１０の中間部１００４には、撮影光学系１０４のズーム比を手動で調整するための円筒壁状のズームリング１００６が回転可能に設けられている。
鏡筒１０の先端部１００６は、撮影光学系１０４の光軸を軸心とする円筒壁状を呈し、ズームリング１００６の回転に伴い、光軸方向に沿って出没するように構成されている。
【０００７】
ケース１０２の右側部上部には、被写体に対して撮影補助光を発光するフラッシュ部１０６が出没可能に設けられている。
ケース１０２の右側部でフラッシュ部１０６の後部には、前記撮像素子で撮像された画像を表示する液晶表示装置からなるディスプレイ１０８が設けられており、ディスプレイ１０８は、ケース１０２の上下方向に延在する軸線回りと、その軸線と直交する軸線回りに揺動可能にケース１０２に連結されている。
ケース１０２の前面１０２Ａの左側部から前方にグリップ部１１０が膨出形成されており、グリップ部１１０の上面には、撮像を行うためのレリーズ釦１１２、外部ストロボ装置を装着するためのホットシュー１１４が設けられている。
ケース１０２の背面１０２Ｂの右側部上部には、前記撮像素子で撮像された画像を視認するためのビューファインダー１１６が設けられている。
ケース１０２の背面１０２Ｂの下部には、撮像した映像を表示する撮影、記録、映像表示などの種々の動作にまつわる操作を行うための複数の操作スイッチ１１８、ディスプレイ１０８上に表示されるメニューを選択するなどの操作を行うための制御スイッチ１２０などが設けられている。
また、ケース１０２の前面１０２Ａおよび背面１０２Ｂは、撮影光学系１０４の光軸と直交する平面上を延在している。
また、ケース１０２の底面１０２Ｃは、撮影光学系１０４の光軸と平行し前面１０２Ａおよび背面１０２Ｂと直交する平面上を延在する平面で形成され、底面１０２Ｃには不図示の三脚取り付け用のねじ孔が設けられている。
【０００８】
次に、コンバージョンレンズ５０とレンズアダプタ２０について説明する。
図３はレンズアダプタ装置２０の斜視図、図４はレンズアダプタ装置２０の側面図、図５は図４のＡ矢視図、図６は図４のＢ矢視図である。
図７は撮像装置１００にレンズアダプタ装置２０を介してコンバージョンレンズ５０が装着された状態を示す斜視図、図８は図７の一部を破断した断面図である。
レンズアダプタ装置２０は、図７、図８に示すように、撮像装置１００に装着され鏡筒１０の前方でコンバージョンレンズ５０を着脱可能に支持するものである。
コンバージョンレンズ５０は、図８に示すように、円筒状の枠体５２と、この枠体５２の内部に組み込まれたレンズ部５４とを備え、枠体５２は硬質な合成樹脂材料やあるいは金属材料で形成されている。
枠体５２の外周面には、バヨネットを構成する不図示の係合溝が形成されている。
【０００９】
レンズアダプタ装置２０は、鏡筒１０に着脱可能に装着され鏡筒１０の前方でコンバージョンレンズ５０を支持するものである。
レンズアダプタ装置２０は、図３に示すように、装着板２２と、腕部２４と、支持部２６と、第１の位置決め部２８と、第２の位置決め部３０とを備えている。
第２の位置決め部３０は、上下方向位置決め部３２と左右方向位置決め部３４とを含んで構成されている。
レンズアダプタ装置２０はアルミダイカスト製で、装着板２２と腕部２４と支持部２６と第１の位置決め部２８と第２の位置決め部３０とが一体成形されている。
【００１０】
図３乃至図６に示すように、装着板２２は、ケース１０２の底面１０２Ｃに当接される平面（上面）２２０２を有し、この平面２２０２をケース１０２の底面１０２Ｃに当接した状態で底面１０２Ｃの前記三脚取り付け用ねじ孔にねじ２３で取着される。
本実施の形態では、ねじ２３は装着板２２に回転可能かつ抜落不能に設けられている。なお、装着板２２にはねじ２３よりも大きな内径のねじ挿通孔が設けられている。
腕部２４は、装着板２２の前端から鏡筒１０の下方に沿って前方に延在している。
腕部２４は、装着板２２と同じ左右幅で前方に延在する基板部２４０２と、基板部２４０２の左右両側から起立する起立部２４０４とを備え、コンバージョンレンズ５０を支持するに足る剛性を有している。
腕部２４を基準としてレンズアダプタ装置２０を見ると、腕部２４の延在方向の一端に装着板２２が位置し、腕部２４の延在方向の他端に支持部２６が位置し、第１の位置決め部２８と上下方向位置決め部３２は装着板２２に設けられ、左右方向位置決め部３４は、腕部２４の延在方向の前記一端寄りに設けられている。
支持部２６は、コンバージョンレンズ５０を着脱可能に支持するものである。
支持部２６は、コンバージョンレンズ５０の胴部（枠体５２）が挿通される環状部２６０２と、環状部２６０２の内周面に設けられ枠体５２の外周面の係合溝に係合可能なバヨネットを構成する不図示の係合爪とを備えている。本実施の形態では、支持部２６によりコンバージョンレンズ５０の後端が支持されるように構成され、同時に、環状部２６０２の内側でコンバージョンレンズ５０の後方に鏡筒１０の前端が挿入され収容されるように構成されている。
【００１１】
第１の位置決め部２８は、支持部２６で支持されたコンバージョンレンズ５０の鏡筒１０に対する前後方向の位置決めを行うものである。
図３乃至図６に示すように、第１の位置決め部２８は、装着板２２の後端から起立されケース１０２の背面１０２Ｂに当接される起立壁２８０２で構成されている。すなわち、起立壁２８０２がケース１０２の背面１０２Ｂに当接されることで、レンズアダプタ装置２０の前後方向の位置決めがなされ、これによりコンバージョンレンズ５０の前後方向の位置決めがなされる。
【００１２】
第２の位置決め部３０は、支持部２６で支持されたコンバージョンレンズ５０の光軸と鏡筒１０の光軸とを合致させるものである。
図３乃至図６に示すように、第２の位置決め部３０は、コンバージョンレンズ５０の上下方向の位置決めを行う上下方向位置決め部３２と、コンバージョンレンズ５０の左右方向の位置決めを行う左右方向位置決め部３４とを含んで構成されている。
上下方向位置決め部３２は、ケース１０２の底面１０２Ｃに当接される装着板２２で構成されている。すなわち、装着板２２がケース１０２の底面１０２Ｃに当接された状態で取着されることで、支持部２６で支持されたコンバージョンレンズ５０の上下方向の位置決めが行われる。
左右方向位置決め部３４は、腕部２４から突出され鏡筒１０の基部１００２に係合される係合壁３４０２で構成されている。
図３、図７に示すように、係合壁３４０２は半円筒壁状に突設され、鏡筒１０の基部１００２の周方向の半部に係合されるように設けられている。すなわち、係合壁３４０２が鏡筒１０の基部１００２の周方向の半部に係合されることで、支持部２６で支持されたコンバージョンレンズ５０の左右方向の位置決めが行われる。
【００１３】
支持部２６と係合壁３４０２は腕部２４の上面から上方に突設され、装着板２２には、腕部２４の延在方向と直交する方向に延在し、支持部２６と係合壁３４０２を上方に向けてレンズアダプタ装置２０を机や棚などに載置した際にレンズアダプタ装置２０の転倒を阻止する脚部２２１０が設けられ、レンズアダプタ装置２０の使い勝手を向上するようにしている。なお、脚部２２１０は腕部２４に設けてもよく、あるいは、装着板２２と腕部２４の双方に設けてもよい。
【００１４】
次に、レンズアダプタ装置２０を用いて鏡筒１０の前方にコンバージョンレンズ５０を支持する場合について説明する。
まず、撮像装置１００にレンズアダプタ装置２０を装着する。
すなわち、腕部２４を鏡筒１０の下方に延在させた状態で、起立壁２８０２をケース１０２の背面１０２Ｂに当接し、装着板２２の平面２２０２をケース１０２の底面１０２Ｃに当接し、ねじ２３で装着板２２をケース１０２の底面１０２Ｃに仮固定する。
同時に、係合壁３４０２を鏡筒１０の基部１００２に係合させ、この状態でねじ２３を本締めし、装着板２２をケース１０２の底面１０２Ｃに取着する。この状態で本実施の形態では、環状部２６０２の内側に鏡筒１０の前端が挿入され収容される。
次に、コンバージョンレンズ５０の胴部を環状部２６０２に挿通し、バヨネットを構成する係合溝と係合爪の係合によりコンバージョンレンズ５０の後端を環状部２６０２で支持する。この状態で本実施の形態では、環状部２６０２の内側で鏡筒１０の前端の前方にコンバージョンレンズ５０の後端が支持されることになる。
あるいは、レンズアダプタ装置２０を撮像装置１００に装着する前に、コンバージョンレンズ５０を環状部２６０２で支持し、その後、上述したように装着板２２をケース１０２の底面１０２Ｃに取着するようにしてもよい。
【００１５】
本実施の形態によれば、撮像装置１００のケース１０２の底面１０２Ｃに装着板２２がねじ２３で取着されてレンズアダプタ装置２０が撮像装置１００に装着され、このレンズアダプタ装置２０でコンバージョンレンズ５０を支持するようにしたので、撮像装置１００の鏡筒１０にコンバージョンレンズ５０の重量による負荷が掛かることがないことは無論のこと、腕部２４を介して第１の位置決め部２８と第２の位置決め部３０とにより鏡筒１０の光軸とコンバージョンレンズ５０の光軸を高精度に安定して合致させることができる。
したがって、鏡筒１０の剛性を高めることなく、重量大なるコンバージョンレンズ５０を用いることができ、重量大なるコンバージョンレンズ５０により撮像装置１００で撮影した画像の品質を向上させる上で有利となる。
特に、沈胴式の鏡筒では、鏡筒を沈胴させるための機構が鏡筒の内部に組み込まれているため、鏡筒に大きな力を掛けることができず、重量大なるコンバージョンレンズを用いることができなかったが、本実施の形態によれば、鏡筒１０に大きな力が掛かることがないので、重量大なるコンバージョンレンズ５０を用いて撮影することが可能となる。
【００１６】
また、従来のレンズアダプタ装置では、強度を確保するために外形寸法を大きくする必要があったのに対して、本実施の形態のレンズアダプタ装置２０では、撮像装置１００のケース１０２の底面１０２Ｃに取着される装着板２２と、鏡筒１０の下方で延在する腕部２４と、腕部２４から立設された支持部２６および係合壁３４０２を有する構造であるため、レンズアダプタ装置２０の小型化を図る上で有利となり、また、レンズアダプタ装置２０が撮像装置１００に装着された際に、レンズアダプタ装置２０を含む撮像装置１００全体の小型化を図る上で有利となる。
また、レンズアダプタ装置２０は、鏡筒１０の下方において腕部２４が前後方向に延在する構成であるので、レンズアダプタ装置２０を撮像装置１００に装着した場合であっても、鏡筒１０に設けられたズームリング１００６などの回転操作を簡単に行うことができる。
また、レンズアダプタ装置２０を撮像装置１００に着脱する際にはねじ２３を操作するだけで済み、使い勝手を向上させる上で有利となる。
また、本実施の形態では、鏡筒１０の先端が環状部２６０２の内側に位置するため、コンバージョンレンズ５０が装着されているか否かに拘わらず、環状部２６０２により鏡筒１０の先端を保護する上で有利となる。
【００１７】
なお、本実施の形態では、コンバージョンレンズ５０の後端に設けられた係合溝と支持部２６の環状部２６０２に設けた係合爪とでバヨネットを構成することでコンバージョンレンズ５０を支持部２６に支持させるようにした場合について説明したが、例えば、一眼レフの交換レンズ用のマウントを支持部２６に設けることで、一眼レフの交換レンズを支持部２６に装着してもよく、支持部２６でコンバージョンレンズ５０を着脱可能に支持する構造として従来公知の様々な構成を採用可能であり、実施の形態の構成に限定されない。
また、本実施の形態では、支持部２６によりコンバージョンレンズ５０の後端を支持する場合について説明したが、コンバージョンレンズ５０の長手方向の中間部などを支持するようにしてもよい。
また、本実施の形態では、撮像装置としてデジタルスチルカメラを用いて説明したが、本発明は、コンバージョンレンズが用いられるビデオカメラ、その他種々の撮像装置に適用可能である。
【図面の簡単な説明】
【００１８】
【図１】本実施の形態のレンズアダプタ装置２０が装着される撮像装置１００を前方から見た斜視図である。
【図２】撮像装置１００を後方から見た斜視図である。
【図３】レンズアダプタ装置２０の斜視図である。
【図４】レンズアダプタ装置２０の側面図である。
【図５】図４のＡ矢視図である。
【図６】図４のＢ矢視図である。
【図７】撮像装置１００にレンズアダプタ装置２０を介してコンバージョンレンズ５０が装着された状態を示す斜視図である。
【図８】図７の一部を破断した断面図である。
【符号の説明】
【００１９】
１０……鏡筒、２０……レンズアダプタ、２２……装着板、２４……腕部、２６……支持部、２８……第１の位置決め部、３０……第２の位置決め部、３２……上下方向位置決め部、３４……左右方向位置決め部、５０……コンバージョンレンズ、１００……撮像装置、１０２……ケース、１０２Ｃ……底面。
【図１】
2007058032.tif 000003
【図２】
2007058032.tif 000004
【図３】
2007058032.tif 000005
【図４】
2007058032.tif 000006
【図５】
2007058032.tif 000007
【図６】
2007058032.tif 000008
【図７】
2007058032.tif 000009
【図８】
2007058032.tif 000010